(57)【特許請求の範囲】
【請求項１】
移動局と通信可能な複数の通信システムが設置されたエリアにおいて、前記移動局に対して下り制御チャネルを送信する通信システムを前記複数の通信システムの中から選択する通信システム選択装置であって、
前記移動局が前記エリアに入ったことを検知した場合に前記移動局から送信された、前記複数の通信システムと通信可能である旨を示す端末情報を受信する端末情報受信手段と、
前記端末情報を受信した際に、所定の基準に基づいて、前記複数の通信システムの中から前記移動局に下り制御チャネルを送信する通信システムを選択する選択手段と、
前記選択結果を前記移動局及び前記複数の通信システムに通知する通知手段とを具備し、
前記選択手段は、前記端末情報を受信した際に、前記移動局の端末種別に基づいて、前記複数の通信システムの中から前記移動局に下り制御チャネルを送信する通信システムを選択することを特徴とする通信システム選択装置。
【請求項２】
前記選択手段は、前記移動局の端末種別と前記移動局の発着信履歴とに基づいて、前記移動局が上下非対称通信を行う可能性が高い端末であると判定した場合、前記複数の通信システムの中から前記移動局に下り制御チャネルを送信する通信システムとしてＴＤＤ通信システムを選択し、
前記選択手段は、前記移動局の端末種別と前記移動局の発着信履歴とに基づいて、前記移動局が上下対称通信を行う可能性が高い端末であると判定した場合、前記複数の通信システムの中から前記移動局に下り制御チャネルを送信する通信システムとしてＦＤＤ通信システムを選択することを特徴とする請求項１に記載の通信システム選択装置。
【請求項３】
移動局と通信可能な複数の通信システムが設置されたエリアにおいて、通信システム選択装置が、前記移動局に対して下り制御チャネルを送信する通信システムを前記複数の通信システムの中から選択する通信システム選択方法であって、
前記移動局において、複数の通信システムと通信可能なエリアに入ったことを検知する第１工程と、
前記移動局において、前記検知に応じて、前記複数の通信システムと通信可能である旨を示す端末情報を送信する第２工程と、
前記通信システム選択装置において、前記端末情報を受信した際に、所定の基準に基づいて、前記複数の通信システムの中から前記移動局に下り制御チャネルを送信する通信システムを選択する第３工程と、
前記通信システム選択装置において、前記選択結果を前記移動局及び前記通信システムに通知する第４工程と、
前記複数の通信システムにおいて、前記選択結果に応じて、前記下り制御チャネルを前記移動局に送信するか否かを決定する第５工程と、
前記移動局において、前記選択結果に応じて、選択された前記通信システムから前記下り制御チャネルを受信する第６工程とを有し、
前記第３工程において、前記通信システム選択装置は、前記端末情報を受信した際に、前記移動局の端末種別に基づいて、該複数の通信システムの中から前記移動局に下り制御チャネルを送信する通信システムを選択することを特徴とする通信システム選択方法。
【請求項４】
前記第３工程において、前記通信システム選択装置は、前記移動局の端末種別と前記移動局の発着信履歴とに基づいて、前記移動局が上下非対称通信を行う可能性が高い端末であると判定した場合、前記複数の通信システムの中から前記移動局に下り制御チャネルを送信する通信システムとしてＴＤＤ通信システムを選択し、
前記第３工程において、前記通信システム選択装置は、前記移動局の端末種別と前記移動局の発着信履歴とに基づいて、前記移動局が上下対称通信を行う可能性が高い端末であると判定した場合、前記複数の通信システムの中から前記移動局に下り制御チャネルを送信する通信システムとしてＦＤＤ通信システムを選択することを特徴とする請求項３に記載の通信システム選択方法。
【請求項５】
移動局と通信可能な複数の通信システムが設置されたエリアにおいて、通信システム選択装置が、前記移動局に対して下り制御チャネルを送信する通信システムを前記複数の通信システムの中から選択するシステムであって、
前記移動局は、
複数の通信システムと通信可能なエリアに入ったことを検知する検知手段と、
前記検知手段による検知に応じて、前記複数の通信システムと通信可能である旨を示す端末情報を送信する端末情報送信手段と、
該移動局に下り制御チャネルを送信する通信システムを選択した選択結果を受信する選択結果受信手段と、
前記選択結果に応じて、選択された前記通信システムから前記下り制御チャネルを受信する制御チャネル受信手段とを具備し、
前記通信システム選択装置は、
前記移動局から前記端末情報を受信した際に、所定の基準に基づいて、前記複数の通信システムの中から該移動局に下り制御チャネルを送信する通信システムを選択する選択手段と、
前記選択結果を前記移動局及び前記通信システムに通知する通知手段とを具備し、
前記複数の通信システムは、前記選択結果に応じて、前記下り制御チャネルを前記移動局に送信するか否かを決定する決定手段を具備し、
前記選択手段は、前記端末情報を受信した際に、前記移動局の端末種別に基づいて、前記複数の通信システムの中から、前記移動局が最も頻繁に接続している通信システムを、前記移動局に下り制御チャネルを送信する通信システムを選択することを特徴とするシステム。
【請求項６】
前記選択手段は、前記移動局の端末種別と前記移動局の発着信履歴とに基づいて、前記移動局が上下非対称通信を行う可能性が高い端末であると判定した場合、前記複数の通信システムの中から前記移動局に下り制御チャネルを送信する通信システムとしてＴＤＤ通信システムを選択し、
前記選択手段は、前記移動局の端末種別と前記移動局の発着信履歴とに基づいて、前記移動局が上下対称通信を行う可能性が高い端末であると判定した場合、該複数の通信システムの中から前記移動局に下り制御チャネルを送信する通信システムとしてＦＤＤ通信システムを選択することを特徴とする請求項５に記載のシステム。
【発明の詳細な説明】
【０００１】
【発明の属する技術分野】
本発明は、通信システム選択装置、移動局、通信システム、これらを具備するシステム全体、及び通信システム選択方法に関する。
【０００２】
【従来の技術】
従来、複数の通信システムと通信可能な移動局（移動体通信端末）が知られている。実際、ＰＨＳ（Ｐｅｒｓｏｎａｌ  Ｈａｎｄｙｐｈｏｎｅ  Ｓｙｓｔｅｍ）用通信システムとＰＤＣ（Ｐｅｒｓｏｎａｌ  Ｄｉｇｉｔａｌ  Ｃｅｌｌｕｌａｒ）用通信システムの両方と通信可能な移動局が商品化されている。今後も新たな通信システムの導入が見込まれており、様々な通信システムと通信可能な複合移動局の開発が進められている。
【０００３】
本明細書において、「通信システム」とは、周波数帯域について多重化を行って移動局との間の通信を実現するために、同一の通信方式を用いる無線制御装置とその配下の基地局とを指すものと定義する。また、通信システムと移動局とを併せて「システム」と定義する。
【０００４】
【発明が解決しようとする課題】
しかしながら、従来のシステムでは、通信システム間で制御情報がやり取りされないため、従来の移動局は、独立した複数の通信システムに接続する複数の移動局が一つの筐体となったものにすぎなかった。
【０００５】
このため、移動局は、各通信システムにおけるリソースの使用率や、容量等を考慮することなく、複数の通信システムに対して待ち受けを行う、又は、ユーザによって選択された通信システムに対して待ち受けを行うことができるのみであった。ここで、「移動局が、特定の通信システムに対して待ち受けを行う」とは、移動局が、特定の通信システムから下り制御チャネルを受信することを示す。
【０００６】
移動局が、複数の通信システムに対して待ち受けを行っている場合には、当該複数の通信システムから下り制御チャネルを受信しており、通信システム側及び移動局側の双方において、電源の消費が激しくなり、特に、移動局側では、容量の大部分を占める電池の大きさに影響するという問題点があった。
【０００７】
また、移動局が、ユーザによって選択された通信システムに対して待ち受けを行っている場合には、ユーザが常に待ち受けを行っている通信システムを意識する必要が生じるという問題点があった。
【０００８】
さらに、移動局が、特定の通信システムに対して待ち受けを行っている場合において、その他の通信システムと通信を行う場合には、改めて位置登録動作を行う必要があるため、通信を開始するにあたって制御遅延が発生してしまうという問題点があった。
【０００９】
この問題点は、移動局が、一つの通信システムと通信可能なエリア（シングルエリア）から複数の通信システムと通信可能なエリア（デュアルエリア）に入った場合に、特に顕著となる。
【００１０】
また、制御遅延は、待ち受けを行う通信システムと発着信時に接続する通信システムが一致している場合に小さくなる。すなわち、移動局が、一つの通信システムに対して待ち受けを行う場合、発着信時に接続する通信システムの変更を伴う際に制御遅延が発生する。したがって、移動局が、複数の通信システムに対して待ち受けを行えば、発着信時に接続する通信システムの変更を伴うことなく、制御遅延は発生しないが、かかる場合、消費電力が多大になり、特に移動局の電池の容量に影響を与える。そのため、移動局が通信を行う通信システムとして、複数の通信システムの中から、消費電力が少ないままで、制御遅延を小さくすることを可能とする通信システムを選択する必要がある。
【００１１】
そこで、本発明は、以上の点に鑑みてなされたもので、移動局がシングルエリアからデュアルエリアに入った場合に、通信システムのリソース使用率等の所定の基準に基づいて、発着信時に制御遅延が発生しないように、複数の複数の通信システムの中から移動局が待ち受けを行う最適な一つの通信システムを選択することを目的とする。
【００１２】
【課題を解決するための手段】
本発明に係る通信システム選択装置は、移動局と通信可能な複数の通信システムが設置されたエリアにおいて、前記移動局に対して下り制御チャネルを送信する通信システムを前記複数の通信システムの中から選択するものであって、前記移動局が前記エリアに入った際に、前記複数の通信システムと通信可能である旨を示す端末情報を該移動局から受信する端末情報受信手段と、前記端末情報を受信した際に、所定の基準に基づいて、前記複数の通信システムの中から前記移動局に下り制御チャネルを送信する通信システムを選択する選択手段と、前記選択結果を前記移動局及び前記複数の通信システムに通知する通知手段とを具備することを特徴とするものである。
【００１３】
かかる発明によれば、選択手段が、移動局から端末情報を受信した際に、所定の基準に基づいて、複数の通信システムの中から当該移動局に下り制御チャネルを送信する通信システムを選択するため、移動局が、デュアルエリアに入った場合に、より最適な一つの通信システムに対して待ち受けを行うことが可能となり、発着信時における制御遅延を小さくすることが可能となり、また、消費電力を低減することも可能となる。
【００１４】
上述の通信システム選択装置において、前記選択手段が、前記端末情報を受信した際に、前記複数の通信システムのリソース使用率に基づいて、該複数の通信システムの中から前記移動局に下り制御チャネルを送信する通信システムを選択することが好ましい。
【００１５】
かかる発明によれば、選択手段が、リソース使用率に基づいて通信システムを選択するため、通信システム間でトラヒック分散を行うことができる。
【００１６】
上述の通信システム選択装置において、前記選択手段が、前記端末情報を受信した際に、前記移動局の発着信履歴に基づいて、該複数の通信システムの中から前記移動局に下り制御チャネルを送信する通信システムを選択することが好ましい。
【００１７】
かかる発明によれば、通信システムごとに利用料金や通信品質が異なっているため、移動局により要求されるサービス種別によって発着信時に接続する通信システムを変更する場合（例えば、上下非対称通信の場合、ＴＤＤシステムに接続する等）であっても、選択手段が、移動局の発着信履歴に基づいて通信システムを選択するため、移動局の発着信履歴によって当該移動局が行う可能性が高いサービス種別を推測して、最適な通信システムを選択することができ、発着信時の制御遅延の発生する確率を減らすことができる。
【００１８】
また、上述の通信システム選択装置において、前記選択手段が、前記端末情報を受信した際に、前記移動局の端末種別に基づいて、該複数の通信システムの中から前記移動局に下り制御チャネルを送信する通信システムを選択することが好ましい。
【００１９】
かかる発明によれば、通信システムごとに利用料金や通信品質が異なっているため、移動局により要求されるサービス種別によって発着信時に接続する通信システムを変更する場合（例えば、上下非対称通信の場合、ＴＤＤシステムに接続する等）であっても、選択手段が、移動局の端末識別に基づいて通信システムを選択するため、端末種別によって当該移動局が行う可能性が高いサービス種別を推測して、最適な通信システムを選択することができ、発着信時の制御遅延の発生する確率を減らすことができる。
【００２０】
本発明に係る移動局は、複数の通信システムと通信可能なものであって、複数の通信システムと通信可能なエリアに入ったことを検知する検知手段と、前記検知手段による検知に応じて、前記複数の通信システムと通信可能である旨を示す端末情報を送信する端末情報送信手段と、該移動局に下り制御チャネルを送信する通信システムを選択した選択結果を受信する選択結果受信手段と、前記選択結果に応じて、選択された前記通信システムから前記下り制御チャネルを受信する制御チャネル受信手段とを具備することを特徴とするものである。
【００２１】
かかる発明によれば、制御チャネル受信手段が、受信した選択結果に応じて、選択された通信システムからのみ下り制御チャネルを受信するため、消費電力の低減ができる。
【００２２】
本発明に係る通信システムは、複数の通信システムと通信可能である旨を示す端末情報を移動局から受信し、受信した該端末情報を通信システム選択装置に送信する端末情報送信手段と、前記通信システム選択装置から、前記移動局に前記下り制御チャネルを送信する通信システムを選択した選択結果を受信する受信手段と、前記選択結果に応じて、前記移動局に前記下り制御チャネルを送信するか否かを決定する決定手段とを具備することを特徴とするものである。
【００２３】
かかる発明によれば、決定手段が、受信した選択結果に応じて、移動局に下り制御チャネルを送信するか否かを決定するため、複数の通信システムから一つの移動局に下り制御チャネルを送信する必要がなくなり、通信システム側の消費電力を低減することができ、また、移動局と通信システム間の無線リソースの効率化を図ることもできる。
【００２４】
本発明に係る通信システム選択方法は、移動局と通信可能な複数の通信システムが設置されたエリアにおいて、通信システム選択装置が、前記移動局に対して下り制御チャネルを送信する通信システムを前記複数の通信システムの中から選択するものであって、前記移動局において、複数の通信システムと通信可能なエリアに入ったことを検知する第１工程と、前記移動局において、前記検知に応じて、前記複数の通信システムと通信可能である旨を示す端末情報を送信する第２工程と、前記通信システム選択装置において、前記端末情報を受信した際に、所定の基準に基づいて、前記複数の通信システムの中から前記移動局に下り制御チャネルを送信する通信システムを選択する第３工程と、前記通信システム選択装置において、前記選択結果を前記移動局及び前記通信システムに通知する第４工程と、前記複数の通信システムにおいて、前記選択結果に応じて、前記下り制御チャネルを前記移動局に送信するか否かを決定する第５工程と、前記移動局において、前記選択結果に応じて、選択された前記通信システムから前記下り制御チャネルを受信する第６工程とを有することを特徴とするものである。
【００２５】
上述の通信システム選択方法において、前記第３工程において、前記通信システム選択装置は、前記端末情報を受信した際に、前記複数の通信システムのリソース使用率に基づいて、該複数の通信システムの中から前記移動局に下り制御チャネルを送信する通信システムを選択することが好ましい。
【００２６】
また、上述の通信システム選択方法において、前記第３工程において、前記通信システム選択手段は、前記端末情報を受信した際に、前記移動局の発着信履歴に基づいて、該複数の通信システムの中から前記移動局に下り制御チャネルを送信する通信システムを選択することが好ましい。
【００２７】
また、上述の通信システム選択方法において、前記第３工程において、前記通信システム選択手段は、前記端末情報を受信した際に、前記移動局の端末種別に基づいて、該複数の通信システムの中から前記移動局に下り制御チャネルを送信する通信システムを選択することが好ましい。
【００２８】
本発明に係るシステムは、移動局と通信可能な複数の通信システムが設置されたエリアにおいて、通信システム選択装置が、前記移動局に対して下り制御チャネルを送信する通信システムを前記複数の通信システムの中から選択するものであって、前記移動局が、複数の通信システムと通信可能なエリアに入ったことを検知する検知手段と、前記検知手段による検知に応じて、前記複数の通信システムと通信可能である旨を示す端末情報を送信する端末情報送信手段と、該移動局に下り制御チャネルを送信する通信システムを選択した選択結果を受信する選択結果受信手段と、前記選択結果に応じて、選択された前記通信システムから前記下り制御チャネルを受信する制御チャネル受信手段とを具備し、前記通信システム選択装置が、前記移動局から前記端末情報を受信した際に、所定の基準に基づいて、前記複数の通信システムの中から該移動局に下り制御チャネルを送信する通信システムを選択する選択手段と、前記選択結果を前記移動局及び前記通信システムに通知する通知手段とを具備し、前記複数の通信システムが、前記選択結果に応じて、前記下り制御チャネルを前記移動局に送信するか否かを決定する決定手段を具備することを特徴とするものである。
【００２９】
上述のシステムにおいて、前記選択手段が、前記端末情報を受信した際に、前記複数の通信システムのリソース使用率に基づいて、該複数の通信システムの中から前記移動局に下り制御チャネルを送信する通信システムを選択することが好ましい。
【００３０】
また、上述のシステムにおいて、前記選択手段が、前記端末情報を受信した際に、前記移動局の発着信履歴に基づいて、該複数の通信システムの中から前記移動局に下り制御チャネルを送信する通信システムを選択することが好ましい。
【００３１】
また、上述のシステムにおいて、前記選択手段が、前記端末情報を受信した際に、前記移動局の端末種別に基づいて、該複数の通信システムの中から前記移動局に下り制御チャネルを送信する通信システムを選択することが好ましい。
【００３２】
【発明の実施の形態】
（本発明の一実施形態に係るシステムの構成）
本発明の一実施形態に係るシステムの構成について、図１乃至図６を参照しながら説明する。図１に、本実施形態に係るシステムの全体構成を示す。
【００３３】
本実施形態に係るシステムは、移動局６０と、移動局６０に無線回線を介して接続されている基地局１０と、基地局１０及びネットワーク１に接続されている無線制御装置２０と、通信選択装置４０とを具備している。基地局１０及び無線制御装置２０が、通信システム４を構成する。
【００３４】
本実施形態に係るシステムは、移動局６０と通信可能な複数の通信システム４ａ、４ｂが設置されたデュアルエリア３において、通信システム選択装置４０が、移動局６０に対して下り制御チャネルを送信する通信システム４ａ（又は、４ｂ）を複数の通信システム４ａ、４ｂの中から選択するものである。
【００３５】
図２は、一つの移動局６０で「ＩＭＴ-２０００  ＣＤＭＡ  ＦＤＤシステム（以下、ＦＤＤシステム）」及び「ＩＭＴ-２０００  ＣＤＭＡ  ＴＤＤシステム（以下、ＴＤＤシステム）」という二つの通信システムと通信可能な「ＦＤＤ/ＴＤＤデュアルモード移動局（以下、デュアルモード移動局）６０」が、ＦＤＤ通信システム４ａのみが設置されているシングルエリア２に在圏している状態を示すものである。また、図３は、デュアルモード移動局６０が、ＦＤＤ通信システム４ａ及びＴＤＤシステム４ｂが設置されているデュアルエリア３に在圏している状態を示すものである。なお、デュアルエリア３には、ＦＤＤ通信システム４ａ及びＴＤＤシステム４ｂに接続されている通信システム選択装置４０が存在している。
【００３６】
図４は、本実施形態に係るシステムの機能ブロックを示すものであり、主に、ＦＤＤ通信システム４ａ及びＴＤＤ通信システム４ｂの機能ブロックを示すものである。
【００３７】
図４に示すように、ＦＤＤ通信システム４ａは、ＦＤＤ基地局１０ａとＦＤＤ無線制御装置２０ａによって構成されるものであり、ＴＤＤ通信システム４ｂは、ＴＤＤ基地局１０ｂとＴＤＤ無線制御装置２０ｂによって構成されるものである。本発明を特定するための機能については、ＦＤＤ通信システム４ａ及びＴＤＤ通信システム４ｂの双方で同一であるため、以下、ＦＤＤ通信システム４ａについてのみ説明する。
【００３８】
ＦＤＤ無線制御装置２０ａは、図４に示すように、制御チャネル送信部２１と、端末情報受信部２２と、端末情報送信部２３と、第１の選択結果受信部２４と、第１の選択結果送信部２５と、第２の選択結果受信部２６と、情報管理部２７とを具備している。
【００３９】
制御チャネル送信部２１は、ＦＤＤ基地局１０ａと第２の選択結果受信部２６とに接続されており、ＦＤＤ基地局１０ａを介して下り制御チャネルを移動局６０に送信するものである。
【００４０】
また、制御チャネル送信部２１は、第２の選択結果受信部２６からの指示に応じて、移動局６０に対する下り制御チャネルの送信を、開始、停止、又は継続する。
【００４１】
端末情報受信部２２は、ＦＤＤ基地局１０ａと端末情報送信部２３とに接続されており、ＦＤＤ基地局１０ａを介して、複数の通信システム４ａ、４ｂと通信可能である旨を示す端末情報を移動局６０から受信するものである。端末情報受信部２２は、受信した端末情報を端末情報送信部２３に送信する。
【００４２】
端末情報送信部２３は、通信システム選択装置４０と端末情報受信部２２とに接続されており、端末情報受信部２２から受信した端末情報を通信システム選択装置４０に送信する端末情報送信手段である。
【００４３】
第１の選択結果受信部２４は、通信システム選択装置４０と第１の選択結果送信部２５とに接続されており、通信システム選択装置４０から、移動局６０に下り制御チャネルを送信する通信システム４ａ（又は、４ｂ）を選択した第１の選択結果を受信するものである。第１の選択結果受信部２４は、受信した第１の選択結果を第１の選択結果送信部２５に送信する。
【００４４】
第１の選択結果送信部２５は、ＦＤＤ基地局１０ａと第１の選択結果受信部２４とに接続されており、第１の選択結果受信部２４から送信された第１の選択結果をＦＤＤ基地局１０ａを介して移動局６０に送信するものである。
【００４５】
第２の選択結果受信部２６は、通信システム選択装置４０と制御チャネル送信部２１とに接続されており、通信システム選択装置４０から、移動局６０に下り制御チャネルを送信する通信システム４ａ（又は、４ｂ）を選択した第２の選択結果を受信する受信手段である。
【００４６】
また、第２の選択結果受信部２６は、受信した選択結果に応じて、当該ＦＤＤ通信システム４ａが移動局６０に下り制御チャネルを送信するか否かを決定する決定手段である。第２の選択結果受信部２６は、この決定に応じて、制御チャネル送信部２１に対して、移動局６０に対する下り制御チャネルの送信の開始、停止、継続を指示する。
【００４７】
具体的には、第２の選択結果受信部２６は、現在、ＦＤＤ通信システム４ａが移動局６０に下り制御チャネルを送信してない場合に、ＦＤＤ通信システム４ａが移動局６０に下り制御チャネルを送信する旨を示す第２の選択結果を受信した場合は、制御チャネル送信部２１に対して、移動局６０に対する下り制御チャネルの送信の開始を指示する。
【００４８】
また、第２の選択結果受信部２６は、現在、ＦＤＤ通信システム４ａが移動局６０に下り制御チャネルを送信している場合に、ＴＤＤ通信システム４ｂが移動局６０に下り制御チャネルを送信する旨を示す第２の選択結果を受信した場合は、制御チャネル送信部２１に対して、移動局６０に対する下り制御チャネルの送信の停止を指示する。
【００４９】
また、第２の選択結果受信部２６は、現在、ＦＤＤ通信システム４ａが移動局６０に下り制御チャネルを送信している場合に、ＦＤＤ通信システム４ａが移動局６０に下り制御チャネルを送信する旨を示す第２の選択結果を受信した場合は、制御チャネル送信部２１に対して、移動局６０に対する下り制御チャネルの送信の継続を指示する。
【００５０】
情報管理部２７は、通信システム選択装置４０に接続されており、ＦＤＤ通信システム４ａのリソース使用率、ＦＤＤ通信システム４ａを介した移動局６０の発着信履歴、移動局６０の端末種別等の各種情報を管理するものである。情報管理部２７は、通信システム選択装置４０からの要求に応じて、管理する各種情報を提供することができる。
【００５１】
通信システム選択装置４０は、移動局６０と通信可能な複数の通信システム４ａ、４ｂが設置されたデュアルエリア３において、移動局６０に対して下り制御チャネルを送信する通信システム４ａ（又は、４ｂ）を複数の通信システム４ａ、４ｂの中から選択するものである。
【００５２】
通信システム選択装置４０は、図５に示すように、端末情報受信部４１と、待ち受け状態管理部４２と、リソース割当管理部４３と、発着信履歴管理部４４と、端末識別管理部４５と、通信システム選択部４６と、第１の選択結果通知部４７と、第２の選択結果通知部４８とを具備している。以下、現在、ＦＤＤ通信システム４ａが、移動局６０に下り制御チャネルを送信している場合について説明する。
【００５３】
端末情報受信部４１は、通信システム選択部４６に接続されており、ＦＤＤ通信システム４ａを介して、移動局６０がデュアルエリア３に入った際に、複数の通信システム４ａ、４ｂと通信可能である旨を示す端末情報を受信する端末情報受信手段である。端末情報受信部４１は、受信した端末情報を通信システム選択部４６に送信する。
【００５４】
待ち受け状態管理部４２は、通信システム選択部４６に接続されており、現在、ＦＤＤ通信システム４ａ又はＴＤＤ通信システム４ｂのいずれが、移動局６０に下り制御チャネルを送信しているかを管理するものである。
【００５５】
リソース割当管理部４３は、通信システム選択部４６に接続されており、各通信システム４ａ、４ｂのリソース使用率を管理するものである。リソース割当管理部４３は、各通信システム４ａ、４ｂの情報管理部２７で管理されている情報を用いて自動的に更新され得る。
【００５６】
発着信履歴管理部４４は、通信システム選択部４６に接続されており、各通信システム４ａ、４ｂを介した移動局６０の発着信履歴を管理するものである。発着信履歴管理部４４は、各通信システム４ａ、４ｂの情報管理部２７で管理されている情報を用いて自動的に更新され得る。
【００５７】
端末種別管理部４５は、通信システム選択部４６に接続されており、移動局６０の端末種別を管理するものである。端末種別管理部４５は、各通信システム４ａ、４ｂの情報管理部２７で管理されている情報を用いて自動的に更新され得る。
【００５８】
通信システム選択部４６は、端末情報受信部４１と待ち受け状態管理部４２とリソース割当管理部４３と発着信履歴管理部４４と端末識別管理部４５と第１の選択結果通知部４７と第２の選択結果通知部４８とに接続されている。
【００５９】
通信システム選択部４６は、端末情報受信部４１から端末情報を受信した際に、所定の基準に基づいて、複数の通信システム４ａ、４ｂの中から移動局６０に下り制御チャネルを送信する通信システム４ａ（又は、４ｂ）を選択する選択手段である。
【００６０】
具体的には、通信システム選択部４６は、リソース割当管理部４３で管理されている各通信システム４ａ、４ｂのリソース使用率、発着信履歴管理部４４で管理されている各通信システム４ａ、４ｂを介した移動局６０の発着信履歴、端末種別管理部４５で管理されている移動局６０の端末種別の少なくとも一つに基づいて、複数の通信システム４ａ、４ｂの中から移動局６０に下り制御チャネルを送信する通信システム４ａ（又は、４ｂ）を選択する。
【００６１】
例えば、通信システム選択部４６は、各通信システム４ａ、４ｂのリソース使用率に基づいて、各通信システム４ａ、４ｂのリソース使用率が均一になるように、移動局６０に下り制御チャネルを送信する通信システム４ａ（又は、４ｂ）を選択することができる。
【００６２】
また、通信システム選択部４６は、移動局６０の発着信履歴に基づいて、移動局６０が最も頻繁に接続している通信システムがＴＤＤ通信システム４ｂであると判明した場合、移動局６０に下り制御チャネルを送信する通信システムとして、ＴＤＤ通信システム４ｂを選択することができる。
【００６３】
また、通信システム選択部４６は、移動局６０の発着信履歴に基づいて、移動局６０の端末種別が「カード型端末」であると判明した場合、移動局６０に下り制御チャネルを送信する通信システムとして、上下非対称通信に適したＴＤＤ通信システム４ｂを選択することができる。また、通信システム選択部４６は、移動局６０の発着信履歴に基づいて、移動局６０の端末種別が「通話型端末」であると判明した場合、移動局６０に下り制御チャネルを送信する通信システムとして、上下対称通信に適したＦＤＤ通信システム４ｂを選択することができる。
【００６４】
ここで、カード型端末は、上下非対称通信を行う可能性が高いものとし、通話型端末は、上下対称通信を行う可能性が高いものとする。
【００６５】
第１の選択結果通知部４７は、通信システム選択部４６に接続されており、通信システム選択部４６によって選択された第１の選択結果を、ＦＤＤ通信システム４ａを介して移動局６０に通知する通知手段である。
【００６６】
第２の選択結果通知部４８は、通信システム選択部４６に接続されており、通信システム選択部４６によって選択された第２の選択結果を、ＦＤＤ通信システム４ａ及びＴＤＤ通信システム４ｂに通知する通知手段である。
【００６７】
移動局６０は、複数の通信システムと通信可能な移動局、具体的には、ＦＤＤ通信システム４ａとＴＤＤ通信システム４ｂの両方と通信可能なデュアルモード移動局である。
【００６８】
移動局６０は、図６に示すように、制御チャネル受信部６１と、デュアルエリア検知部６２と、端末情報送信部６３と、第１の選択結果受信部６４と、待ち受け状態管理部６５とを具備している。
【００６９】
制御チャネル受信部６１は、デュアルエリア検知部６２と待ち受け状態管理部６５とに接続されており、通信システム４ａ、４ｂから送信される下り制御チャネルを受信する制御チャネル受信手段である。
【００７０】
また、制御チャネル受信部６１は、待ち受け状態管理部６５からの決定に応じて、下り制御チャネルを受信する通信システム４ａ（又は、４ｂ）を変更するか、または現状維持するか判断する。
【００７１】
デュアルエリア検知部６２は、制御チャネル受信部６１と端末情報送信部６３とに接続されており、制御チャネル受信部６１による下り制御チャネルの受信状況に応じて、複数の通信システム４ａ、４ｂと通信可能なエリア、すなわち、デュアルエリア３に入ったことを検知する検知手段である。
【００７２】
端末情報送信部６３は、デュアルエリア検知部６２に接続されており、デュアルエリア検知部６２による検知に応じて、複数の通信システム４ａ、４ｂと通信可能である旨を示す端末情報を送信する端末情報送信手段である。
【００７３】
第１の選択結果受信部６４は、待ち受け状態管理部６５に接続されており、移動局６０に下り制御チャネルを送信する通信システム４ａ（又は、４ｂ）を選択した第１の選択結果を受信する選択結果受信手段である。第１の選択結果受信部６４は、受信した第１の結果を待ち受け状態管理部６５に送信する。
【００７４】
待ち受け状態管理部６５は、制御チャネル受信部６１と第１の選択結果受信部６４とに接続されており、第１の選択結果受信部６４から受信した第１の選択結果に応じて、下り制御チャネルを受信する通信システム４ａ（又は、４ｂ）を変更する必要があるか否かを決定する。待ち受け状態管理部６５は、この決定を制御チャネル受信部６１に通知する。
【００７５】
（本発明の一実施形態に係るシステムの動作）
本実施形態に係るシステムの動作を、図７乃至図１０を参照にして説明する。図７は、本実施形態に係るシステムにおいて、デュアルモード移動局６０に対して下り制御チャネルを送信する通信システムが、ＦＤＤ通信端末４ａからＴＤＤ通信端末４ｂに変更される場合の動作を示すタイムチャート図である。
【００７６】
本動作は、図７に示すように、ステップ７０１において、ＦＤＤ無線制御装置２０ａの制御チャネル送信部２１が、ＦＤＤ基地局１０ａを介して、下り制御チャネルを移動局６０に送信している。
【００７７】
ステップ７０２において、移動局６０のデュアルエリア検知部６２が、制御チャネル受信部６１による下り制御チャネルの受信状況に応じて、複数の通信システム４ａ、４ｂと通信可能なエリア、すなわち、デュアルエリア３に入ったことを検知する。
【００７８】
ステップ７０３において、移動局６０の端末情報送信部６３が、デュアルエリア検知部６２による検知に応じて、複数の通信システム４ａ、４ｂと通信可能である旨、すなわち、デュアルモード移動局である旨を示す端末情報を送信する。
【００７９】
ステップ７０４において、ＦＤＤ無線制御装置２０ａの端末情報送信部２３が、端末情報受信部２２により受信された端末情報を、通信システム選択装置４０に送信する。
【００８０】
ステップ７０５において、通信システム選択装置４０の通信システム選択部４６が、所定の基準に基づいて、複数の通信システム４ａ、４ｂの中から移動局６０に下り制御チャネルを送信する通信システムとしてＴＤＤ通信システム４ｂを選択する。
【００８１】
ステップ７０６ａにおいて、通信システム選択装置４０の第１の選択結果通知部４７が、通信システム選択部４６によって選択された第１の選択結果を、ＦＤＤ通信システム４ａを介して移動局６０に送信し、通信システム選択装置４０の第２の選択結果通知部４８が、通信システム選択部４６によって選択された第２の選択結果を、ＦＤＤ通信システム４ａに送信する。また、ステップ７０６ｂにおいて、通信システム選択装置４０の第２の選択結果通知部４８が、通信システム選択部４６によって選択された第２の選択結果を、ＴＤＤ通信システム４ｂに送信する。
【００８２】
ステップ７０７において、ＦＤＤ無線制御装置２０ａの第１の選択結果送信部２２が、第１の選択結果受信部２４を介して受信した第１の選択結果を、ＦＤＤ基地局１０ａを介して移動局６０に送信する。
【００８３】
ステップ７０８ａにおいて、移動局６０の待ち受け状態管理部６５が、第１の選択結果受信部６４から受信した第１の選択結果に応じて、下り制御チャネルを受信する通信システムを、ＴＤＤ通信システム４ｂに変更する必要があると決定する。
【００８４】
ステップ７０８ｂにおいて、ＦＤＤ無線制御装置２０ａの第２の選択結果受信部２６が、受信した第２の選択結果に応じて、制御チャネル送信部２１に対して、移動局６０に対する下り制御チャネルの送信の停止を指示する。
【００８５】
ステップ７０８ｃにおいて、ＴＤＤ無線制御装置２０ｂの第２の選択結果受信部２６が、受信した第２の選択結果に応じて、制御チャネル送信部２１に対して、移動局６０に対する下り制御チャネルの送信の開始を指示する。
【００８６】
ステップ７０９において、移動局６０の制御チャネル受信部６１が、ＴＤＤ無線制御装置２０ｂの制御チャネル送信部２１によって送信された下り制御チャネルを受信する。
【００８７】
また、図８は、本実施形態に係るシステムにおいて、デュアルモード移動局６０に対して下り制御チャネルを送信する通信システムが、ＦＤＤ通信端末４ａから変更されない場合の動作を示すタイムチャート図である。以下、本動作について、図７における動作との異なる点についてのみ説明する。
【００８８】
本動作のステップ８０１乃至８０４は、図７におけるステップ７０１乃至７０４と同一である。
【００８９】
ステップ８０５において、通信システム選択装置４０の通信システム選択部４６が、所定の基準に基づいて、複数の通信システム４ａ、４ｂの中から移動局６０に下り制御チャネルを送信する通信システムとしてＦＤＤ通信システム４ｂを選択する。
【００９０】
ステップ８０６において、通信システム選択装置４０の第１の選択結果通知部４７が、通信システム選択部４６によって選択された第１の選択結果を、ＦＤＤ通信システム４ａを介して移動局６０に送信し、通信システム選択装置４０の第２の選択結果通知部４８が、通信システム選択部４６によって選択された第２の選択結果を、ＦＤＤ通信システム４ａに送信する。
【００９１】
ステップ８０７において、ＦＤＤ無線制御装置２０ａの第１の選択結果送信部２２が、第１の選択結果受信部２４を介して受信した第１の選択結果を、ＦＤＤ基地局１０ａを介して移動局６０に送信する。
【００９２】
ステップ８０８ａにおいて、移動局６０の待ち受け状態管理部６５が、第１の選択結果受信部６４から受信した第１の選択結果に応じて、下り制御チャネルを受信する通信システムを変更する必要がないと決定する。
【００９３】
ステップ８０８ｂにおいて、ＦＤＤ無線制御装置２０ａの第２の選択結果受信部２６が、受信した第２の選択結果に応じて、制御チャネル送信部２１に対して、移動局６０に対する下り制御チャネルの送信の継続を指示する。
【００９４】
ステップ８０９において、移動局６０の制御チャネル受信部６１が、ＦＤＤ無線制御装置２０ｂの制御チャネル送信部２１によって送信された下り制御チャネルを受信する。
【００９５】
また、図９は、本実施形態に係るシステムにおいて、シングルモード移動局６０に対して下り制御チャネルを送信する通信システムが、ＦＤＤ通信端末４ａから変更されない場合の動作を示すタイムチャート図である。以下、本動作について、図８における動作との異なる点についてのみ説明する。
【００９６】
本動作は、図９に示すように、ステップ９０１において、ＦＤＤ無線制御装置２０ａの制御チャネル送信部２１が、ＦＤＤ基地局１０ａを介して、下り制御チャネルを移動局６０に送信している。
【００９７】
ステップ９０２において、移動局６０のデュアルエリア検知部６２が、制御チャネル受信部６１による下り制御チャネルの受信状況に応じて、複数の通信システム４ａ、４ｂと通信可能なエリア、すなわち、デュアルエリア３に入ったことを検知する。
【００９８】
ステップ９０３において、移動局６０の端末情報送信部６３が、デュアルエリア検知部６２による検知に応じて、シングルモード移動局である旨を示す端末情報を送信する。
【００９９】
ステップ９０４において、ＦＤＤ無線制御装置２０ａの端末情報送信部２３が、端末情報受信部２２により受信された端末情報を、通信システム選択装置４０に送信する。
【０１００】
ステップ９０５において、通信システム選択装置４０の通信システム選択部４６が、移動局６０はシングルモード移動局であるため、複数の通信システム４ａ、４ｂの中から移動局６０に下り制御チャネルを送信する通信システムとして、現在接続しているＦＤＤ通信システム４ａを選択する。
【０１０１】
以下、本動作のステップ９０６乃至９０９は、図８におけるステップ８０６乃至８０９と同一である。
【０１０２】
図１０に、通信システム選択装置４０の通信システム選択部４６が、複数の通信システム４ａ、４ｂの中から移動局６０に下り制御チャネルを送信する通信システムを選択する動作を示す。ここで、現在、ＦＤＤ通信システム４ａが、移動局６０に下り制御チャネルを送信しているものとする。
【０１０３】
ステップ１００１において、通信システム選択部４６は、通信システム４ａ、４ｂを介して端末情報を受信する。ステップ１００２において、通信システム選択部４６は、受信した端末情報に基づいて、移動局６０がデュアルモード移動局であるか否かを判定する。デュアルモード移動局である場合、本動作はステップ１００３に進み、シングルモード移動局である場合、本動作はステップ１００６に進む。
【０１０４】
ステップ１００３において、通信システム選択部４６は、所定の基準に基づいて、複数の通信システム４ａ、４ｂの中から移動局６０に下り制御チャネルを送信する通信システム４ａ（又は、４ｂ）を選択する。
【０１０５】
ＦＤＤ通信システム４ａが選択されたか否かを判定し（ステップ１００４）、ＦＤＤ通信システム４ａが選択された場合、移動局６０に下り制御チャネルを送信する通信システムが変更されることを意味し（ステップ１００５）、ＦＤＤ通信システム４ａが選択されなかった場合、移動局６０に下り制御チャネルを送信する通信システムが現状維持であることを意味する（ステップ１００６）。
【０１０６】
（本実施形態に係るシステムの作用・効果）
本実施形態に係る通信システム選択装置４０によれば、通信システム選択部４６が、移動局６０から端末情報を受信した際に、所定の基準に基づいて、複数の通信システム４ａ、４ｂの中から移動局６０に下り制御チャネルを送信する通信システム４ａ（又は、４ｂ）を選択するため、移動局６０が、デュアルエリア３に入った場合に、より最適な一つの通信システムに対して待ち受けを行うことが可能となり、発着信時における制御遅延を小さくすることが可能となり、また、消費電力を低減することも可能となる。
【０１０７】
また、本実施形態に係る通信システム選択装置４０によれば、通信システム選択部４６が、リソース割当管理部４３により管理されているリソース使用率に基づいて通信システムを選択するため、通信システム間でトラヒック分散を行うことができる。
【０１０８】
また、本実施形態に係る通信システム選択装置４０によれば、通信システム４ａ、４ｂごとに利用料金や通信品質が異なっているため、移動局６０により要求されるサービス種別によって発着信時に接続する通信システムを変更する場合であっても、通信システム選択部４６が、発着信履歴管理部４４によって管理されている移動局６０の発着信履歴に基づいて通信システムを選択するため、移動局６０の発着信履歴によって当該移動局６０が行う可能性が高いサービス種別を推測して、最適な通信システムを選択することができ、発着信時の制御遅延の発生する確率を減らすことができる。
【０１０９】
また、本実施形態に係る通信システム選択装置４０によれば、通信システムごとに利用料金や通信品質が異なっているため、移動局６０により要求されるサービス種別によって発着信時に接続する通信システムを変更する場合（例えば、上下非対称通信の場合、ＴＤＤシステムに接続する等）であっても、通信システム選択部４６が、端末識別管理部４５によって管理されている移動局６０の端末識別に基づいて通信システムを選択するため、端末種別によって当該移動局６０が行う可能性が高いサービス種別を推測して、最適な通信システムを選択することができ、発着信時の制御遅延の発生する確率を減らすことができる。
【０１１０】
また、本実施形態に係る移動局６０によれば、制御チャネル受信部６１が、受信した第１の選択結果に応じて、選択された通信システムからのみ下り制御チャネルを受信するため、消費電力の低減ができる。
【０１１１】
また、本実施形態に係る無線制御装置２０によれば、第２の選択結果受信部２４が、受信した第２の選択結果に応じて、移動局６０に下り制御チャネルを送信するか否かを決定するため、複数の通信システム４ａ、４ｂから一つの移動局６０に下り制御チャネルを送信する必要がなくなり、通信システム側の消費電力を低減することができ、また、移動局と通信システム間の無線リソースの効率化を図ることもできる。
【０１１２】
【発明の効果】
以上説明したように本発明によれば、移動局６０がシングルエリア２からデュアルエリア３に入った場合に、通信システムのリソース使用率等の所定の基準に基づいて、制御遅延が発生しないように、複数の複数の通信システム４ａ、４ｂの中から移動局６０が待ち受けを行う最適な一つの通信システムを選択することができる。
【図面の簡単な説明】
【図１】本発明の一実施形態に係るシステムの全体構成図である。
【図２】本発明の一実施形態に係るシステムにおいて、デュアルモード移動局が、ＦＤＤ通信システムのみが設置されているシングルエリアに在圏している状態を示すものである。
【図３】本発明の一実施形態に係るシステムにおいて、デュアルモード移動局が、ＦＤＤ通信システム及びＴＤＤシステムが設置されているデュアルエリアに在圏している状態を示すものである。
【図４】本発明の一実施形態に係るシステムの無線制御装置機能ブロック図である。
【図５】本発明の一実施形態に係るシステムの通信システム選択装置の機能ブロック図である。
【図６】本発明の一実施形態に係るシステムの移動局の機能ブロック図である。
【図７】本発明の一実施形態に係るシステムの動作を示すタイムチャート図である。
【図８】本発明の一実施形態に係るシステムの動作を示すタイムチャート図である。
【図９】本発明の一実施形態に係るシステムの動作を示すタイムチャート図である。
【図１０】本発明の一実施形態に係るシステムの通信システム選択装置の動作を示すフローチャート図である。
【符号の説明】
１…ネットワーク
２…シングルエリア
３…デュアルエリア
４…通信システム
４ａ…ＦＤＤ通信システム
４ｂ…ＴＤＤ通信システム
１０…基地局
１０ａ…ＦＤＤ基地局
１０ｂ…ＴＤＤ基地局
２０…無線制御装置
２０ａ…ＦＤＤ無線制御装置
２０ｂ…ＴＤＤ無線制御装置
２１…制御チャネル送信部
２２、４１…端末情報受信部
２３、６３…端末情報送信部
２４、６４…第１の選択結果受信部
２５…第１の選択結果送信部
２６…第２の選択結果受信部
２７…情報管理部
４０…通信システム選択装置
４２、６５…待ち受け状態管理部
４３…リソース割当管理部
４４…発着信履歴管理部
４５…端末種別管理部
４６…通信システム選択部
４７…第１の選択結果通知部
４８…第２の選択結果通知部
６０…移動局
６１…制御チャネル受信部
６２…デュアルエリア検知部
【図１】
0003898076.tif 000002
【図２】
0003898076.tif 000003
【図３】
0003898076.tif 000004
【図４】
0003898076.tif 000005
【図５】
0003898076.tif 000006
【図６】
0003898076.tif 000007
【図７】
0003898076.tif 000008
【図８】
0003898076.tif 000009
【図９】
0003898076.tif 000010
【図１０】
0003898076.tif 000011